(57)【要約】【課題】  単純な構成で、押鍵強さに拘らず、また、鍵のタッチ感を変化させることなく、ハンマーのバックストップ位置を安定させることができるアップライトピアノのアクションを提供する。【解決手段】  押鍵に伴って作動し、ハンマー３を回動させることにより打弦を行わせるアップライトピアノのアクション１であって、押鍵時に、鍵４で突き上げられることにより回動するウィッペン６と、押鍵に伴い、ハンマー３を突き上げ、回動させるジャック７と、ハンマー３の回動中に、ジャック７を、ウィッペン６に対して回動させ、バット２０から離脱させるレギュレティングボタン１３と、離鍵状態においてキャッチャー２３に対向する係止面１９ｂと、その下側に設けられ、キャッチャー２３側に突出するストッパ部１９ｃとを有し、復帰回動するハンマー３を係止するバックチェック９と、を備えている。【選択図】  図２
2006171575.tif 000002
【特許請求の範囲】
【請求項１】
鍵の押鍵に伴って作動し、キャッチャーを一体に有するハンマーを回動させることにより打弦を行わせるアップライトピアノのアクションであって、
前記鍵の押鍵時に、当該鍵で突き上げられることによって上方に回動するウィッペンと、
当該ウィッペンに回動自在に取り付けられ、前記鍵の押鍵に伴い、前記ハンマーを突き上げることによって回動させるジャックと、
前記鍵の押鍵に伴う前記ハンマーの回動中に、前記ジャックに係合し、当該ジャックを前記ウィッペンに対して回動させることにより、前記ジャックを前記ハンマーから離脱させるレギュレティングボタンと、
前記ウィッペンに取り付けられ、前記鍵の離鍵状態において前記キャッチャーに対向する係止面と、当該係止面の下側に連続して設けられ、前記キャッチャー側に突出するストッパ部とを有し、打弦後に復帰回動する前記ハンマーを前記キャッチャーを介して係止するバックチェックと、
を備えていることを特徴とするアップライトピアノのアクション。
【請求項２】
前記キャッチャーは、前記バックチェックに係止される被係止面を有し、当該被係止面は、前記係止面に係止された状態で、当該係止面と面接触するように形成されていることを特徴とする請求項１に記載のアップライトピアノのアクション。
【請求項３】
前記被係止面は、前記ハンマーの回動の軸線を中心とし、当該中心と前記被係止面との間の距離を半径とする円弧の接線方向に延びていることを特徴とする請求項２に記載のアップライトピアノのアクション。
【発明の詳細な説明】
【技術分野】
【０００１】
本発明は、鍵の押鍵に伴って作動し、ハンマーを回動させることにより打弦を行わせるアップライトピアノのアクションに関する。
【背景技術】
【０００２】
グランドピアノにおいては、打弦後に復帰回動するハンマーは、鍵の後端部に取り付けられたバックチェックによって所定の位置で係止され、それにより、ハンマーのリバウンドが防止される（以下「バックストップ」という）。ハンマーがバックチェックに係止される直前においては、復帰回動するハンマーヘッドと、押鍵に伴い回動するバックチェックとが、相手に向かって互いに逆方向に移動し、両者は、タイミングがずれることなく係合するので、ハンマーは所定の位置で確実に係止される。
【０００３】
これに対し、通常のアップライトピアノでは、ハンマーのバットから前方に延びるキャッチャーシャンクの先端部にキャッチャーが、ウィッペンの前端部に立設されたバックチェックワイヤの上端部にバックチェックが、それぞれ設けられており、キャッチャーがバックチェックに係止される直前においては、キャッチャーは下方に、バックチェックはほぼ水平に移動する。そして、キャッチャーの側部がバックチェックに当接し、バックチェックが押圧することにより、バックチェックに係止されることによって、ハンマーの復帰回動が停止する。このため、例えば鍵を強打した場合、すなわちハンマーに与えられた運動エネルギーが大きく、ハンマーが速い速度で回動する場合には、両者が係合するタイミングがずれやすい。また、ハンマーの運動エネルギーが大きいため、係合した位置でハンマーを停止させられず、係合した後においてもキャッチャーがバックチェック上を滑るように移動し、ハンマーの回動がすぐに停止しないことがある。このため、バックストップの位置が押鍵の強さによって変化するなど、例えば連打時のハンマーの挙動が不安定になってしまう。
【０００４】
このような不具合を解消するための従来のアップライトピアノのアクションとして、例えば特許文献１に開示されたものが知られている。このアクションのウィッペンは、前端部が上方に湾曲しており、その湾曲部の上端部の斜めに傾斜する部分が、バックチェックとして構成されている。また、ハンマーのバットには、前方に突出するとともに下方のバックチェックに向かって長く延びるキャッチャーシャンクが設けられており、このキャッチャーシャンクの先端部に、バックチェックに対向するように斜め下方に向かってキャッチャーが取り付けられている。
【０００５】
このようなアクションによれば、押鍵に伴い、ハンマーが弦を打弦し、復帰回動する途中で、キャッチャーがバックチェックに係合し、バックチェックに係止されることにより、ハンマーのバックストップが行われる。キャッチャーがバックチェックに係合する直前においては、前述した両者の構成により、両者の位置関係が、グランドピアノの場合と同じく、互いに向かって逆方向に移動するので、ハンマーは所定の位置で係止される。
【０００６】
しかし、前述した従来のアクションには、以下のような問題がある。すなわち、上述したように、キャッチャーシャンクが長いとともに、キャッチャーが、ハンマーの回動の中心から遠い位置に配置されているため、ハンマーの回動時の慣性モーメントが大きくなってしまう。このため、通常のアクションの場合と同じ大きさの音を発生させるためには、より大きな力で押鍵する必要があるので、鍵のタッチ感が重たくなってしまい、演奏者に違和感を与えるおそれがある。
【０００７】
本発明は、以上のような課題を解決するためになされたものであり、単純な構成で、押鍵強さに拘らず、また、鍵のタッチ感を変化させることなく、ハンマーのバックストップ位置を安定させることができるアップライトピアノのアクションを提供することを目的としている。
【０００８】
【特許文献１】実開昭５４−１４５２５号公報  （第１頁、第２，３図）
【発明の開示】
【課題を解決するための手段】
【０００９】
この目的を達成するために、本発明の請求項１に係る発明は、鍵の押鍵に伴って作動し、キャッチャーを一体に有するハンマーを回動させることにより打弦を行わせるアップライトピアノのアクションであって、鍵の押鍵時に、鍵で突き上げられることによって上方に回動するウィッペンと、ウィッペンに回動自在に取り付けられ、鍵の押鍵に伴い、ハンマーを突き上げることによって回動させるジャックと、鍵の押鍵に伴うハンマーの回動中に、ジャックに係合し、ジャックをウィッペンに対して回動させることにより、ジャックをハンマーから離脱させるレギュレティングボタンと、ウィッペンに取り付けられ、鍵の離鍵状態において、キャッチャーに対向する係止面と、係止面よりも下方に設けられるとともにキャッチャー側に突出するストッパ部とを有し、打弦後に復帰回動するハンマーを、キャッチャーを介して係止することによって、ハンマーのリバウンドを防止するためのバックチェックと、を備えていることを特徴とする。
【００１０】
このアップライトピアノのアクションによれば、離鍵状態の鍵を押鍵すると、ウィッペンが、鍵によって突き上げられることにより上方に回動する。その際、ウィッペンに設けられたジャックおよびバックチェックが、ウィッペンとともに上方に移動し、ジャックは、ハンマーを突き上げることにより回動させる。このハンマーの回動中に、ジャックが、レギュレティングボタンに係合し、ウィッペンに対して回動することによって、ハンマーから離脱し、その後、ハンマーは、慣性により回動を続け、弦を打弦することによって演奏音が発生する。
【００１１】
弦を打弦したハンマーは、弦の反発力によって押鍵時とは逆方向に復帰回動し、その途中で、ハンマーのキャッチャーが、バックチェックに係止される。それにより、ハンマーは復帰回動を一旦、停止する。バックチェックには、離鍵状態においてキャッチャーに対向する係止面と、その下側に連続し、キャッチャー側に突出するストッパ部が設けられており、復帰回動するハンマーは、そのキャッチャーが、ウィッペンとともに回動するバックチェックの係止面に当接するとともに、キャッチャーの側部が係止面で押圧されることにより、係止される。また、キャッチャーはストッパ部の上部に当接することにより、バックチェックに確実に係止され、ハンマーの復帰回動が確実に停止する。このようにハンマーのバックストップが行われ、それにより、ハンマーのリバウンドが防止される。
【００１２】
以上のように、打弦後に復帰回動するハンマーは、そのキャッチャーがバックチェックのストッパ部に当接することにより、ストッパ部に当接した位置で最終的に停止する。したがって、押鍵の強さに拘らず、ハンマーを一定の位置で係止することができ、ハンマーのバックストップ位置を安定させることができる。また、上述した従来のアクションと異なり、アクションの構成部品間の位置関係は、通常のアクションと同じであるので、通常のアクションの場合とほぼ同じタッチ感を得ることができる。
【００１３】
請求項２に係る発明は、請求項１に記載のアップライトピアノのアクションにおいて、キャッチャーは、バックチェックに係止される被係止面を有し、被係止面は、係止面に係止された状態で、係止面と面接触するように形成されていることを特徴とする。
【００１４】
このアップライトピアノのアクションによれば、キャッチャーは、その被係止面が、バックチェックの係止面に面接触した状態で係止される。それにより、バックチェックからの押圧力が、キャッチャーに確実に伝達されるので、キャッチャー、すなわちハンマーのバックストップ位置をさらに安定させることができる。
【００１５】
請求項３に係る発明は、請求項２に記載のアップライトピアノのアクションにおいて、被係止面は、ハンマーの回動の軸線を中心とし、中心と被係止面との間の距離を半径とする円弧の接線方向に延びていることを特徴とする。
【００１６】
このアップライトピアノのアクションによれば、キャッチャーの被係止面は、ハンマーの回動の中心と、被係止面との間の距離を半径とする円弧、すなわち、ハンマーが回動する際のキャッチャーの軌道の接線方向に延びており、このような被係止面が、バックチェックの係止面に面接触することにより、キャッチャーがバックチェックに係止される。これにより、キャッチャーがバックチェックに係止される前後の両者の位置関係が、グランドピアノのハンマーがバックチェックに係止されるときの両者の位置関係に近いものになるので、ハンマーのバックストップ位置を、より安定させることができる。
【発明を実施するための最良の形態】
【００１７】
以下、本発明の好ましい実施形態を、図面を参照しながら詳細に説明する。図１および２は、本発明によるアップライトピアノのアクション１、鍵盤２およびハンマー３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵４（１つのみ図示）によって構成されており、各鍵４は、前後方向（図１の左右方向）のほぼ中央において、筬５に揺動自在に支持されている。
【００１８】
アクション１は、鍵盤２の後端部の上方において、筬５の左右端部にそれぞれ設けたブラケット（図示せず）に取り付けられ、両ブラケットの間に設けられている。アクション１は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に鍵４ごとにねじ止めされたウィッペンフレンジ１２およびバットフレンジ２４に、ウィッペン６の後端部およびハンマー３の下端部が、それぞれ回動自在に取り付けられている。
【００１９】
ウィッペン６は、例えば合成樹脂または木材によって所定の形状に形成されており、その前部から下方に突出するヒール部６ａを有していて、対応する鍵４の上面後端部に設けられたキャプスタンボタン４ａに、ヒール部６ａを介して載置されている。また、ウィッペン６の上面前端部には、バックチェックワイヤ９ａが立設されていて、その先端部にバックチェック９が取り付けられている。また、ウィッペン６の上面後端部には、後述するダンパー２５を駆動するためのスプーン１１が立設されている。また、このスプーン１１のすぐ前方には、前述したウィッペンフレンジ１２が配置されており、このウィッペンフレンジ１２の上部が、センターレール１６に固定されている。
【００２０】
バックチェックワイヤ９ａは、ウィッペン６から斜め前方に延びており、その上端部は、離鍵状態においてほぼ鉛直に延びるように折り曲げられている。また、バックチェック９は、バックチェックワイヤ９ａに固定された基部１８と、基部１８の背面に取り付けられた係止部１９を有している。係止部１９は、ブロック状に形成されており、その後面上端部から前面下端部にわたって後面全体を覆うように、例えばフェルト１９ａが貼り付けられている。また、係止部１９の後面の上部は、係止面１９ｂになっており、この係止面１９ｂは、離鍵状態においてほぼ鉛直に延びるとともに、後述するキャッチャー２３に対向している。また、係止部１９の係止面１９ｂの下側に連続する部分は、ストッパ部１９ｃになっており、このストッパ部１９ｃの後面は、係止面１９ｂの下端からキャッチャー２３側に向かって若干、突出するような緩やかな所定の曲面形状に形成されている。
【００２１】
ジャック７は、合成樹脂、例えばポリアセタール樹脂により構成されており、射出成形によって一体成形されている。また、図２に示すように、ジャック７は、前後方向に延びる基部７ａと、基部７ａの後端部から上方に延びるハンマー突上げ部７ｂを有している。また、ジャック７には、軽量化のための凹部７ｅなどが形成されている。
【００２２】
以上のようなジャック７は、その基部７ａとハンマ突上げ部７ｂとの角部において、ウィッペン６のバックチェックワイヤ９ａよりも後方の位置に回動自在に取り付けられている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね力を有している。
【００２３】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５を介して、鍵４ごとに設けられている（１つのみ図示）。
【００２４】
ハンマー３は、バット２０、ハンマーシャンク２１、およびハンマーヘッド２２などを有している。バット２０は、その下端部において、前述したバットフレンジ２４に軸線Ａを中心として回動自在に取り付けられており、それにより、ハンマー３が回動自在になっている。また、バットフレンジ２４は、その下端部においてセンターレール１６に固定されている。ハンマーシャンク２１は、バット２０の上面に立設されており、その上端部にハンマーヘッド２２が取り付けられていて、図１に示す離鍵状態では、ハンマーシャンク２１がハンマーレール１７に後方から当接し、ハンマーヘッド２２が鉛直に張られた後方の弦Ｓに対向している。また、バット２０の前面には、棒状に形成され、バックチェック９に向かって延びるキャッチャーシャンク２６が設けられており、その前端部にキャッチャー２３が取り付けられている。
【００２５】
キャッチャー２３は、ほぼ三角形の断面形状を有しており、その後面がキャッチャーシャンク２６にほぼ垂直であるのに対し、前面がキャッチャーシャンク２６に対して斜めに延びる被係止面２３ａになっている。具体的には、この被係止面２３ａは、ハンマー３が回動する際の被係止面２３ａの軌道、すなわち、軸線Ａを中心とし、軸線Ａと被係止面２３ａの間の距離を半径とする円弧の接線方向に延びている。また、被係止面２３ａは、離鍵状態においては、図２に示すように、ほぼ鉛直に延びている。
【００２６】
このようなキャッチャー２３は、前述したバックチェック９の後方に位置し、これと対向している。また、バット２０とハンマーシャンク２１の間には、バットスプリング２０ａが設けられており、これにより、ハンマー３が図１の時計方向に付勢されている。また、この離鍵状態では、前述したジャック７のハンマー突上げ部７ｂがバット２０の下面の前端部で構成される被突上げ部２０ｂに下方から係合している。
【００２７】
また、アクション１の後方には、ダンパー２５が鍵４ごとに設けられている（１つのみ図示）。ダンパー２５は、ダンパーフレンジ２５ｂを介してセンターレール１６に回動自在に取り付けられたダンパーレバー２５ｃと、ダンパーレバー２５ｃの上側にダンパーワイヤ２５ｄを介して取り付けられたダンパーヘッド２５ａと、ダンパー２５を弦Ｓ側に付勢するダンパーレバースプリング２５ｅなどで構成されている。このダンパー２５は、離鍵時に、ダンパーレバースプリング２５ｅの付勢力によって、ダンパヘッド２５ａが弦Ｓに当接することにより止音するためのものである。
【００２８】
以下、上述したアクション１およびハンマー３などの押鍵の開始から終了までの一連の動作について説明する。演奏者により、図１の離鍵状態から鍵４が押鍵されると、鍵４は、図１の時計方向に回動し、その後端部に載置されたウィッペン６は、鍵４によって突き上げられることにより、上方（反時計方向）に回動する。このウィッペン６の回動に伴い、ウィッペン６に設けられたジャック７およびバックチェック９などが一緒に回動し、ハンマー３は、そのバット２０がジャック７のハンマー突上げ部７ｂによって突き上げられることにより、後方の弦Ｓに向かって反時計方向に回動する。
【００２９】
ウィッペン６が所定の角度、回動したときに、ジャック７の基部７ａの前端部が、レギュレティングボタン１３に下方から当接する。ウィッペン６がさらに回動するのに従い、ジャック７は、レギュレティングボタン１３によって上方への回動が規制されることにより、ウィッペン６に対して時計方向に回動する。
【００３０】
さらに押鍵が進み、ジャック７が、レギュレティングボタン１３に当接した状態でさらに時計方向に回動することにより、ハンマー突上げ部７ｂがバット２０から前方に外れ、ハンマー３から離脱する。これにより、鍵４のタッチ重さからハンマー３の重量分が急激に失われることにより、演奏者にレットオフ感が付与される。ハンマー３は、ジャック７が離脱した後も慣性によって回動し、弦Ｓを打弦することにより振動させることによって、演奏音を発生させる。そして、ハンマー３は、弦Ｓの反発力によって、時計方向への復帰回動を開始する。
【００３１】
ハンマー３は、復帰回動する途中において、バックチェック９により、キャッチャー２３を介して以下のように係止され、それにより、ハンマー３のバックストップが行われる。まず、この時点では、バックチェック９は、押鍵に伴いウィッペン６と一緒に上方に移動している。また、ハンマー３の復帰回動に伴い、キャッチャー２３が、バックチェック９に向かって上方から接近する。このとき、バックチェック９の係止面１９ｂと、キャッチャー２３の被係止面２３ａは、互いにほぼ平行になり、その直後に、キャッチャー２３の下端部が、バックチェック９の係止面１９ｂから連続するストッパ部１９ｃに当接することにより、ハンマー３の復帰回動が停止される。これと同時に、キャッチャー２３の被係止面２３ａが係止面１９ｂに当接することにより、キャッチャー２３およびバックチェック９が、互いに面接触し、係止面１９ｂによって押圧されることにより、バックチェック９が、ストッパ部１９ｃに当接した位置で確実に係止される。
【００３２】
以上のようにハンマー３のバックストップが行われることにより、ハンマー３は、図３に示すバックストップ位置において係止され、その復帰回動が一旦、停止させられることによって、ハンマー３のリバウンドが防止される。また、このときのハンマー突上げ部７ｂの上端部は、バット２０の被突上げ部２０ｂから外れ、その前側に隣接した状態になっている。
【００３３】
押鍵が終了し、鍵４が離鍵されると、鍵４およびウィッペン６は、押鍵時とは逆方向にそれぞれ回動する。その際、バックチェック９もまた、ウィッペン６と一緒に移動するので、押鍵時とは逆にキャッチャー２３から離れ始めることによって、バックチェック９によるハンマー９の係止状態が解除される。それにより、ハンマー３は、バットスプリング２０ａの付勢力により、時計方向に復帰回動を再開する。
【００３４】
一方、離鍵時において、ジャック７は、ウィッペン６と一緒にほぼ下方に移動するとともに、ジャックスプリング１０の付勢力により、ウィッペン９に対して押鍵時と逆に反時計方向に復帰回動することによって、以下のような動作を行う。すなわち、ジャック７の下方への移動に伴って、ハンマー突上げ部７ｂが、バット２０の下側に入り込む。それにより、ハンマー突上げ部７ｂの上端部が、バット２０の被突上げ部２０ｂに下方から係合するようになり、ハンマー３の再度の突上げが可能な状態になる。そして、鍵４などの復帰回動がさらに進むことにより、ハンマーシャンク２１がハンマーレール１７に当接することによって、その復帰回動が停止するとともに、ウィッペン６、ジャック７およびバックチェック９などが、完全に離鍵状態に復帰し、押鍵時および離鍵時の一連の動作が終了する。
【００３５】
以上のように、打弦後に復帰回動するハンマー３は、そのキャッチャー２３がバックチェック９のストッパ部１９ｃに当接することにより、ストッパ部１９ｃに当接した位置で停止する。したがって、押鍵の強さに拘らず、ハンマー３を一定の位置で係止することができ、ハンマー３のバックストップ位置を安定させることができる。また、上述した従来のアクションと異なり、アクション１の構成部品間の位置関係は、通常のアクションと同じであるので、通常のアクションの場合とほぼ同じタッチ感を得ることができる。
【００３６】
また、キャッチャー２３は、その被係止面２３ａが、バックチェック９の係止面１９ｂに面接触した状態で係止される。それにより、バックチェック９からの押圧力が、キャッチャー２３に確実に伝達されるので、キャッチャー２３、すなわちハンマー３のバックストップ位置を、さらに安定させることができる。
【００３７】
さらに、キャッチャー２３の被係止面２３ａは、ハンマー３が回動する際のキャッチャー２３の軌道の接戦方向に延びており、このような被係止面２３ａが、バックチェック９の係止面１９ｂに面接触したときの両者２３ａ，１９ｂは、互いにほぼ平行に延びている。それにより、キャッチャー２３がバックチェック９に係止される前後の両者２３，９の位置関係が、グランドピアノのハンマーおよびバックチェックの場合に近いものになるので、ハンマー３のバックストップ位置を、より安定させることができる。
【００３８】
なお、本発明は、説明した各実施形態および変形例に限定されることなく、種々の態様で実施することができる。また、実施形態で示したウィッペンやジャックなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００３９】
【図１】本発明の第１実施形態によるアクションなどを、離鍵状態において示す側面図である。
【図２】図１のアクションのジャックおよびその付近を、離鍵状態において示す部分拡大図である。
【図３】図１のアクションのジャックおよびその付近を、押鍵時において示す部分拡大図である。
【符号の説明】
【００４０】
１    アクション
２    鍵盤
３    ハンマー
４    鍵
６    ウィッペン
７    ジャック
９    バックチェック
１３    レギュレティングボタン
１９ｂ  係止面
１９ｃ  ストッパ部
２３    キャッチャー
２３ａ  被係止面
【図１】
2006171575.tif 000003
【図２】
2006171575.tif 000004
【図３】
2006171575.tif 000005